(57)【特許請求の範囲】
【請求項１】
装置本体の何れかの面に複数設けられ、半導体メモリが内蔵された略板状のＩＣカードを、このＩＣカードに貼着されたラベルを外部に臨ませるようにして収納する複数の収納手段と、
上記各収納手段に設けられ、上記ＩＣカードとデータの送受信を行う送受信手段と、
上記収納手段に収納されたＩＣカードを上記収納手段に保持する保持手段と、
上記収納手段を、上記ＩＣカードの着脱を行う着脱位置とデータの記録又は再生を行う記録再生位置とに亘って移動させる移動手段とを備え、
上記保持手段は、上記収納手段に設けられ、上記収納手段に収納された上記ＩＣカードを保持する保持位置と上記ＩＣカードの非保持位置とに亘って回動する保持部材と、上記装置本体側に設けられ、上記収納手段が上記記録再生位置に移動するとき、上記保持部材を上記保持位置に回動させるカム部とを有するＩＣカードの記録及び／又は再生装置。
【請求項２】
上記収納手段には、上記ＩＣカードの挿入側に、上記ＩＣカードを円滑に上記収納手段に収納することができるようにする挿入ガイド部が設けられている請求項１記載のＩＣカードの記録及び／又は再生装置。
【請求項３】
上記収納手段は、上記装置本体にマトリクス状に設けられている請求項１記載のＩＣカードの記録及び／又は再生装置。
【発明の詳細な説明】
【０００１】
【発明の属する技術分野】
本発明は、ＩＣカードを、ＩＣカードに貼着されたラベルを外部から目視可能な状態で複数収納するＩＣカードの記録及び／又は再生装置に関する。
【０００２】
【従来の技術】
従来、フラッシュメモリ等の半導体メモリを記憶素子に用いるＩＣカードの記録及び／又は再生装置は、装置本体の操作面にＩＣカードの挿脱口が設けられ、装置本体の内部に、この挿脱口より挿入されたＩＣカードを記録再生位置にローディングするローディング機構が設けられている。また、複数枚のＩＣカードを装着することができる記録及び／又は再生装置では、この挿脱口が複数設けられ、この挿脱口に対応してローディング機構が設けられている。この種の記録及び／又は再生装置で利用者がＩＣカードに記録されている内容を確認するには、装置本体に装着されたＩＣカードを一度装置本体から取り出しＩＣカードに貼着されたラベルに記載された記載内容を確認するか、又は、装置本体に装着されたＩＣカードよりデータを読み出し、装置本体に設けられた表示部で読み出したデータを確認するかによって行っている。
【０００３】
【発明が解決しようとする課題】
しかしながら、上述した記録及び／又は再生装置では、装置本体に挿入されたＩＣカードの記録内容を確認するため、ＩＣカードを装置本体より一度取り出さなければならず、操作が面倒である。また、ＩＣカードの記録内容を確認するため、装置本体に装着されたＩＣカードのデータを読み出しこの内容を表示部に表示させるのも操作が面倒である。
【０００４】
また、装置本体に装着されたＩＣカードの記録内容を確認するたびにＩＣカードを装置本体から取り出す場合には、記録及び／又は再生装置側のコネクタの接続端子とＩＣカードの端子部との接触が繰り返されることになり、端子部同士の摩擦により端子部が速く損傷してしまうことになる。
【０００５】
そこで、本発明は、複数のＩＣカードを、ＩＣカードに貼着されたラベルの記載内容を視認することができる状態で挿入することで、操作性の向上を図ることができるＩＣカードの記録及び／又は再生装置を提供することを目的とする。
【０００６】
【課題を解決するための手段】
本発明に係るＩＣカードの記録及び／又は再生装置は、上述した課題を解決すべく、装置本体の何れかの面に複数設けられ、半導体メモリが内蔵された略板状のＩＣカードを、このＩＣカードに貼着されたラベルを外部に臨ませるようにして収納する複数の収納手段と、各収納手段に設けられ、ＩＣカードとデータの送受信を行う送受信手段と、収納手段に収納されたＩＣカードを収納手段に保持する保持手段と、収納手段を、ＩＣカードの着脱を行う着脱位置とデータの記録又は再生を行う記録再生位置とに亘って移動させる移動手段とを備える。更に、保持手段は、収納手段に設けられ、収納手段に収納されたＩＣカードを保持する保持位置とＩＣカードの非保持位置とに亘って回動する保持部材と、装置本体側に設けられ、収納手段が記録再生位置に移動するとき、保持部材を保持位置に回動させるカム部とを有する。
【０００８】
【発明の実施の形態】
以下、本発明に係るＩＣカードの記録及び／又は再生装置が適用されたＩＣカードの記録再生装置について、図面を参照して説明する。
【０００９】
この記録再生装置は、図１及び図２に示すようなＩＣカード１を用いるものである。このＩＣカード１は、合成樹脂をモールド成型したメモリ本体を構成する略板状の筐体２を備え、この筐体２の内部に、４メガバイト（以下、単にＭＢともいう。）以上、例えば４ＭＢ、１６ＭＢ、３２ＭＢ、６４ＭＢ、１２８ＭＢといった大きな記憶容量を有するフラッシュメモリ等の半導体メモリ素子が設けられている。ＩＣカード１は、例えば、図１に示すように、短辺の長さＷ1を略２１．４５ｍｍとなし、長辺の長さＬ1を略５０ｍｍとなし、厚さＤ1を略２．８ｍｍとなす略矩形状に形成されている。
【００１０】
ＩＣカード１を構成する筐体２の一方の短辺側である前面２ａ側には、図１及び図２に示すように、前面２ａから底面２ｂに亘るように、端子部３が形成されている。この端子部３には、互いに仕切壁３ａに分離された複数の電極３ｂが設けられている。筐体２内に設けられたメモリ素子に対する情報の読み出し又は書き込み動作は、端子部３に設けられた電極３ｂを介して行われる。また、端子部３は、仕切壁３ａにより係合凹部３ｃが区画され、電極３ｂは、係合凹部３ｃの底面に配設されることで、手指等が直接触れないように保護されている。なお、電極３ｂは、係合凹部３ｃに区画されて１０本（３ｂ1〜３ｂ10）設けられている。
【００１１】
ここで、電極３ｂ1〜３ｂ10について説明すると、図３に示すように、電極３ｂ1と電極３ｂ10は、検出電圧ＶSS端子として用いられ、電極３ｂ2は、シリアルプロトコルバスステート信号ＢＳの入力端子として用いられ、電極３ｂ3と電極３ｂ9は、電源電圧ＶCC端子として用いられ、電極３ｂ4は、データ端子、すなわちシリアルプロトコルデータ信号の入出力端子として用いられ、電極３ｂ5と電極３ｂ7は、リザーブ（予備）端子として用いられ、電極３ｂ6は、ＩＣカード１が記録再生装置に装着されたか否かを検出するための検出端子として用いられ、電極３ｂ8は、シリアルクロックＳＣＬＫの入力端子として用いられる。
【００１２】
また、筐体２の端子部３が形成された前面２ａ側の一方のコーナ部には、図１及び図２に示すように、略円弧状に切り欠かれた記録再生装置への挿入方向を示す切欠部４が設けられている。筐体２の切欠部４が形成された側の一方の側面２ｃには、図２に示すように、筐体２の底面２ｂ側を開放した誤挿入防止溝５が切欠部４に連続して形成されている。この切欠部４及び誤挿入防止溝５は、ＩＣカード１を記録再生装置に装着するとき、記録再生装置に対する挿入方向を規制して誤挿入を防止する。
【００１３】
筐体２の底面２ｂ側には、端子部３の近傍に位置して、誤って情報信号を半導体メモリに記録することを防止する誤記録防止スイッチ６が設けられている。誤記録防止スイッチ６は、筐体２内の操作子に連結され、一方にスライドされたとき、情報信号の記録を可能となし、他方にスライドされたとき、新たな情報信号が上書きされないようにしている。また、筐体２の一方の側面２ｃには、記録再生装置に挿入されたとき、記録再生装置側に設けた弾性係合片に係合して記録再生装置からの脱落を防止する脱落防止用凹部７が形成されている。また、筐体２の他方の側面２ｄ側の略中央部には、装着検出用の係合凹部８が形成されている。この係合凹部８は、記録再生装置側に設けられる検出部が係合することによって、ＩＣカード１の記録再生装置への装着の有無を検出する。また、筐体２の他方の側面２ｄの端子部３側には、挿入ガイド溝１３が設けられている。この挿入ガイド溝１３は、記録再生装置に挿入されるときに、ＩＣカード１の挿入をガイドするとともに、誤挿入を防止している。
【００１４】
ＩＣカード１の筐体２には、図１及び図２に示すように、平面２ｅ側から背面２ｆに亘り、さらに底面２ｂ側に亘ってラベル貼着部９が設けられている。ラベル貼着部９は、筐体２の平面２ｅ側から背面２ｆに亘り、さらに底面２ｂに亘る部分に凹状部を形成して構成されている。ラベル貼着部９は、ラベル１０を貼着したとき、ラベル１０が筐体２の外周面から突出しない若しくは面一となる深さに形成されている。また、ラベル貼着部９の平面２ｅ側部分は、図１に示すように、筐体２の背面２ｆ側から前面２ａ側の近傍まで設けられている。ラベル貼着部９に貼着されるラベル１０には、このＩＣカード１を用いることができる機種名やＩＣカード１に記録される記録内容等を示す表示が施される。
【００１５】
以上のようなＩＣカード１は、データの記録又は再生のシステムとしてＦＡＴ（file allocation table）システムが用いられている。また、ＩＣカード１の書き込み速度は、１５００ＫＢ／ｓｅｃ〜３３０ＫＢ／ｓｅｃであり、読み出し速度は、２．４５ＭＢ／ｓｅｃであり、書き込み単位は、５１２バイトであり、消去ブロックサイズは、８ＫＢ又は１６ＫＢである。また、電源電圧ＶCCは、２．７〜３．６Ｖ、シリアルクロックＳＣＬＫは、最高２０ＭＨｚである。
【００１６】
このようなＩＣカード１の回路構成について説明すると、ＩＣカード１は、図３に示すように、データが記録されるフラッシュメモリ１１と、このフラッシュメモリ１１に対するデータの書き込み又は読み出しを制御する制御部１２とを備える。
【００１７】
このフラッシュメモリ１１には、記録再生装置から供給される動画データ、静止画データ、音声データ、制御データ、コンピュータで処理される処理データ等のデータが記憶される。
【００１８】
この制御部１２は、フラッシュメモリ１１へのデータの書き込み又はフラッシュメモリ１１からのデータの読み出しを制御するメモリコントローラ１２ａと、データの書き込み又は読み出しのための各種パラメータを有するレジスタ１２ｂと、データを一時的に記憶するページバッファ１２ｃと、記録再生装置とのデータのやり取りを行うためのシリアルインターフェース１２ｄとを有する。メモリコントローラ１２ａは、レジスタ１２ｂに設定されたパラメータに基づいてフラッシュメモリ１１とページバッファ１２ｃとの間のデータの伝送を行う。
【００１９】
このような制御部１２のメモリコントローラ１２ａには、電極３ｂ2からシリアルプロトコルバスステート信号ＢＳ、電極３ｂ8からシリアルクロックＳＣＬＫが供給される。そして、フラッシュメモリ１１にデータを書き込むとき、メモリコントローラ１２ａは、シリアルプロトコルバスステート信号ＢＳとシリアルクロックＳＣＬＫに従って、電極３ｂ4から入力されるデータをシリアルインターフェース１２ｄを介してページバッファ１２ｃに一時的に記憶し、次いで、フラッシュメモリ１１にデータを記憶する。また、フラッシュメモリ１１に記憶されたデータを読み出すとき、メモリコントローラ１２ａは、シリアルプロトコルバスステート信号ＢＳとシリアルクロックＳＣＬＫに従って、フラッシュメモリ１１よりデータをページバッファ１２ｃに読み出し、次いで、シリアルインターフェース１２ｄを介して電極３ｂ4から記録再生装置に出力する。また、検出電圧ＶSSは、電極３ｂ6に供給され、記録再生装置は、抵抗Ｒによって電極３ｂ6の電圧を検出して、ＩＣカード１が確実に装着されているか否かを検出する。
【００２０】
次に、以上のようなＩＣカード１を記録媒体に用いる記録再生装置２０について図面を参照して説明する。この記録再生装置２０は、図４に示すように、据え置き型の装置である。この記録再生装置２０は、略矩形状の装置本体２１を有し、この装置本体２１には、例えばスピーカやディスク記録再生装置等が接続される。この装置本体２１には、天板を構成する上面２１ａに記録媒体となるＩＣカード１が装着される装着部２２ａ〜２２ｆがマトリクス状に設けられている。すなわち、装着部２２ａ〜２２ｆは、ＩＣカード１の着脱操作を最も行い易く、また、ＩＣカード１の着脱操作の行い易い位置である上面２１ａに設けられている。この装着部２２ａ〜２２ｆには、ＩＣカード１が装着される。図４に示す例では、装着部２２ａ〜２２ｆは縦横に３つずつ並んで設けられている。なお、装着部２２ａ〜２２ｆについては、詳細は後述する。
【００２１】
また、装置本体２１には、操作面となる前面２１ｂに、液晶表示パネル等からなる表示部２３が設けられている。この表示部２３には、例えばＩＣカード１から音声データを読み出したとき、この音声データのタイトル等のコンテンツに関連する情報や操作のガイド情報等のメッセージが表示される。
【００２２】
また、装置本体２１の前面２１ｂには、電気音響変換素子を内蔵したヘッドフォンが接続されるヘッドフォン端子２４や音声を集音するマイクロフォンが接続されるマイク端子２５が設けられている。例えばヘッドフォンがヘッドフォン端子２４に接続されているとき、利用者は、ＩＣカード１に録音された音声データを聞くことができ、また、マイクロフォンがマイク端子２５に接続されているとき、利用者は、音声をＩＣカード１に録音することができる。
【００２３】
また、装置本体２１の前面２１ｂには、スピーカ、光ディスク記録再生装置等の外部機器が接続されるライン出力端子２６及びライン入力端子２７が設けられている。また、ディジタル入力端子２８が設けられている。ライン出力端子２６にスピーカを接続したときには、ＩＣカード１に記録されている音声データをスピーカより聞くことができ、光ディスク記録再生装置を接続したときには、ＩＣカード１に記録されている音声データを光ディスク記録再生装置に装着されている記録可能な光ディスクにダビングすることができる。また、ライン入力端子２７に光ディスク記録再生装置が接続されたときには、光ディスク記録再生装置に装着された光ディスクに記録された音楽データ等のデータをＩＣカード１にダビングすることができる。更に、ディジタル入力端子２８には、光ディスク記録再生装置等のディジタル出力対応機器が光ケーブル等により接続されとき、光ディスクのディジタルデータをＩＣカードにディジタルダビングすることができる。
【００２４】
また、装置本体２１の前面２１ｂには、ＵＳＢ（Universal Serial Bus）コネクタ２９が設けられている。ＵＳＢコネクタ２９は、例えばＵＳＢインターフェースを備えたコンピュータ等が接続され、ＩＣカード１にコンピュータの処理データを記録し、また、ＩＣカード１に記録されたデータをコンピュータに読み出すことができる。勿論、装置本体２１には、ＳＣＳＩ（Small Computer System Interface）コネクタ、ＲＳ−２３２Ｃ（Recommendation Standard 232C）コネクタ、ＩＥＥＥ（Institute of Electrical and Electronics Engineers）１３９４コネクタ等を設けてもよい。
【００２５】
また、装置本体２１の前面２１ｂには、操作部３１が設けられている。操作部３１は、電源のオンオフを制御する電源釦、ＩＣカード１に記録されたデータを再生するための再生釦、ＩＣカード１にデータを記録するための記録釦、音量を調節するための音量釦、ＩＣカード１に記録されたデータを編集するための編集釦、装置本体２１の動作メニューを選択するためのメニュー選択釦等から構成されている。このような操作部３１からの操作信号は、ＣＰＵに入力され、ＣＰＵは、操作信号に対応した機能を実行する。
【００２６】
また、装置本体２１には、装置本体２１に電源を供給するための電源コネクタ３２が設けられている。装置本体２１は、商用交流電源を動作電源として用いている。勿論、動作電源としては、一次電池や二次電池を用いるようにしてもよい。
【００２７】
ところで、上述した装置本体２１の上面２１ａに設けられた装着部２２ａ〜２２ｆ（以下、単に装着部２２ともいう。）は、図４に示すように、ＩＣカード１の挿脱操作の最も行い易い上面２１ａに設けられており、マトリクス状に設けられている。図４に示す例では、ＩＣカード１がマトリクス状に配列されるように、装着部２２が６つ設けられている。この装着部２２の具体的構成について説明すると、図５に示すように、ＩＣカード１を収納する収納部材３６と、この収納部材３６が移動可能に収納されるガイド凹部３７とを有する。
【００２８】
ＩＣカード１を収納する収納部材３６は、図５に示すように、ＩＣカード１の底面２ｂと略同じ大きさに形成され、ＩＣカード１が載置される支持板４１と、支持板４１の長手方向の一端側に設けられ、支持板４１に載置されたＩＣカード１の端子部３が挿入されるコネクタ４２と、支持板４１の他端側に設けられ、ＩＣカード１の支持板４１への挿入をガイドする挿入ガイド部４３とを有する。
【００２９】
ＩＣカード１が載置される支持板４１は、ＩＣカード１の底面２ｂと略同じ大きさに略矩形状に形成されている。この支持板４１の一端側であって、長手方向の両側縁に装置本体２１の制御回路と送受信を行う送受信手段となるコネクタ４２を取り付けるための取付板４４，４４が設けられている。
【００３０】
取付板４４，４４に取り付けられるコネクタ４２は、略矩形状に形成され、前面に、コネクタ４２の内部にＩＣカード１の端子部３を挿入するための挿入口４５が設けられている。また、コネクタ４２の内部の底面には、端子部３を構成する電極３ｂ1〜３ｂ10に電気的に接続される接続端子４６1〜４６10が設けられている。接続端子４６1〜４６10は、ＩＣカード１の端子部３を構成する電極３ｂ1〜３ｂ10の数に対応して設けられている。これら接続端子４６1〜４６10は、略Ｌ字状に折曲して形成され、この折曲部が上方に突出し、ＩＣカード１の電極３ｂ1〜３ｂ10に押圧されて弾性変位するように設けられている。接続端子４６1〜４６10は、ＩＣカード１が収納部材３６に挿入されたとき、ＩＣカード１の端子部３を構成する係合凹部３ｃの開放側より進入し、折曲部が電極３ｂ1〜３ｂ10に押圧された状態で接触することで、電極３ｂ1〜３ｂ10と電気的に接続する。なお、図示しないが、接続端子４６1〜４６10は、フレキシブルプリント基板により装置本体２１の電気回路に接続されている。
【００３１】
ここで、接続端子４６1〜４６10について説明すると、接続端子４６1と接続端子４６10とは、図１４に示すように、検出電圧ＶSS端子であり、電極３ｂ1と電極３ｂ10に電気的に接続され、接続端子４６2は、シリアルプロトコルバスステート信号ＢＳの入力端子であり、電極３ｂ2に電気的に接続され、接続端子４６3と接続端子４６9とは、電源電圧ＶCC端子とされ、電極３ｂ3と電極３ｂ9に電気的に接続され、接続端子４６4は、データ端子、すなわちシリアルプロトコルデータ信号の入出力端子とされ、電極３ｂ4に電気的に接続され、接続端子４６5と接続端子４６7とは、リザーブ（予備）端子であり、電極３ｂ5と電極３ｂ7に電気的に接続され、接続端子４６6は、ＩＣカード１が記録再生装置に装着されたか否かを検出するための検出端子であり、電極３ｂ6に電気的に接続され、接続端子４６8は、シリアルクロックＳＣＬＫの入力端子であり、電極３ｂ8に電気的に接続される。
【００３２】
また、コネクタ４２の一方の側面には、図５に示すように、ＩＣカード１の挿入ガイド溝１３に係合されるガイド片４７が設けられ、他方の側面には、ＩＣカード１の脱落防止用凹部７に係合される弾性係合片４８が設けられている。ガイド片４７は、挿入口４５よりＩＣカード１の端子部３が挿入されるとき、挿入ガイド溝１３に係合されることで、挿入のガイドを行い、弾性係合片４８は、ＩＣカード１が収納部材３６に収納されたとき、脱落防止用凹部７に係合されることで収納位置からＩＣカード１の収納位置がずれることを防止する。
【００３３】
以上のようなコネクタ４２は、ＩＣカード１が挿入されたとき、端子部３の係合凹部３ｃに接続端子４６1〜４６10が係合し、弾性係合片４８が脱落防止用凹部７に係合することで、ＩＣカード１を収納位置に保持する。
【００３４】
支持板４１のコネクタ４２と対向する他方の側には、ＩＣカード１を挿入するための挿入ガイド部４３が支持板４１と一体的に設けられている。この挿入ガイド部４３は、図７に示すように、ＩＣカード１の挿入側に向かって下るように傾斜して設けられている。ＩＣカード１は、端子部３側の端部を挿入ガイド部４３の傾斜面に突き当て、この挿入ガイド部４３から支持板４１の方に滑らせるようにして支持板４１に挿入される。
【００３５】
以上のような収納部材３６が収納される装置本体２１の上面２１ａに設けられたガイド凹部３７は、図５及び図６に示すように、短辺方向の寸法が収納部材３６の短辺方向の寸法と略同じに形成され、長手方向の寸法が収納部材３６の長手方向の寸法より長くなるように形成され、収納部材３６がガイド凹部３７の長手方向、すなわち図６中矢印Ａ方向及び反矢印Ａ方向に移動し得るように形成されている。
【００３６】
ガイド凹部３７の長手方向の両側縁部には、ＩＣカード１の取り出し操作を容易に行うことができるようにするための、取り出し操作用の切欠部４９，５０が設けられている。この切欠部４９，５０は、ガイド凹部３７の長手方向の側縁部と連続し、外方に傾斜するように設けられた傾斜部５１，５２と、この傾斜部５１，５２の間で、長手方向の側縁部と平行に設けられる水平部５３とから構成されている。利用者は、ＩＣカード１を収納部材３６より取り出すとき、切欠部４９，５０より指を挿入し、ＩＣカード１の長手方向の両側縁部を把持するようにして、収納部材３６よりＩＣカード１を取り出すことができる。なお、一方の切欠部４９のコネクタ４２側の傾斜部５１は、後述するがＩＣカード１を収納部材３６に保持させる保持機構のカム部を構成する。
【００３７】
収納部材３６の支持板４１とガイド凹部３７の底板とは、図５及び図６に示すように、付勢部材であるトグルバネ５４により接続されている。このトグルバネ５４は、収納部材３６をＩＣカードの挿脱を行う挿脱位置と記録再生を行う記録再生位置とに亘って移動させる移動手段となる。このトグルバネ５４は、線状部材が巻回されてなるコイル部５５と、コイル部５５より一方の側に延びた第１のアーム部５６と、コイル部５５より他方の側に延びた第２のアーム部５７とからなる。第１のアーム部５６には、先端部に、収納部材３６の支持板４１に設けられた第１の係合突起５８に係合される第１の係合部５９が設けられ、第２のアーム部５７には、先端部に、ガイド凹部３７の底板に設けられた第２の係合突起６１に係合される第２の係合部６２が設けられている。トグルバネ５４は、第１の係合突起５８に第１の係合部５９を係合し、第２の係合突起６１を第２の係合部６２に係合することで、収納部材３６と装置本体２１のガイド凹部３７とを接続し、収納部材３６をＩＣカード１の挿脱が行われる挿脱位置とＩＣカード１の記録再生が行われる記録再生位置の方向に付勢する。
【００３８】
以上のようにトグルバネ５４により装置本体２１の上面２１ａに設けられたガイド凹部３７の底板と接続された収納部材３６は、ＩＣカード１の挿脱を行う挿脱位置にあるとき、図６及び図８に示すように、トグルバネ５４の付勢力によって、図６中反矢印Ａ方向に付勢され、ＩＣカード１の挿脱位置にある。そして、収納部材３６は、この挿脱位置からガイド凹部３７の途中位置まで移動されると、トグルバネ５４の付勢方向が反転することにより、トグルバネ５４の付勢力を受けて図６中反矢印Ａ方向に更に移動され、図９に示すように、ガイド凹部３７内のデータの記録再生を行う記録再生位置に移動される。
【００３９】
また、記録再生位置にある収納部材３６をＩＣカード１の挿脱位置に移動するとき、収納部材３６は、ガイド凹部３７の途中位置まで移動されると、トグルバネ５４の付勢方向が反転することにより、トグルバネ５４の付勢力を受けて図９中反矢印Ａ方向に更に移動され図６及び図８に示すようなＩＣカード１の挿脱を可能とする着脱位置に移動される。
【００４０】
ところで、装着部２２には、図１１及び図１２に示すように、収納部材３６に収納されたＩＣカード１を収納部材３６内で位置がずれたりしないようにするための保持機構６５が設けられている。
【００４１】
この保持機構６５は、図１１に示すように、収納部材３６に収納されたＩＣカード１を保持するための保持部材６６を有する。この保持部材６６は、略Ｃ字状に形成されている。この保持部材６６は、支持板４１の長手方向の一方の側縁部の中程に設けられた支持片６７，６７に支持されている。すなわち、略Ｃ字状の保持部材６６の一端部には、支軸６８が挿通されており、この支軸６８は、支持片６７，６７に軸支されている。略Ｃ字状の保持部材６６は、開放端側がＩＣカード１側を向くように支軸６８に取り付けられている。このような保持部材６６は、支軸６８を支点として、図１１中矢印Ｂ方向及び反矢印Ｂ方向に回動するようになっている。また、保持機構６５は、保持部材６６を図１１中反矢印Ｂ方向に回動付勢する付勢部材となる捻りコイルバネ６９を有する。この捻りコイルバネ６９は、コイル部が支軸６８に巻装され、一方のアーム部が保持部材６６に係止され、他方のアーム部が一方の支持片６７に係止されることで、保持部材６６を図１１中反矢印Ｂ方向に付勢している。
【００４２】
この保持部材６６は、図１１に示すように、ガイド凹部３７の一方の切欠部４９の近傍に位置する。そして、収納部材３６が図６及び図８に示すＩＣカード１の挿脱位置にあるとき、切欠部４９を構成する水平部５３に対応する位置にあり、従って、捻りコイルバネ６９の付勢力により図１１中反矢印Ｂ方向に回動し、ＩＣカード１を収納部材３６に収納することができる非保持位置にある。そして、収納部材３６が図９に示す記録再生位置まで移動されたとき、図１２に示すように、略Ｃ字状の保持部材６６は、背面２ｆ側が切欠部４９のコネクタ４２側の傾斜部５１に押圧される。すると、保持部材６６は、捻りコイルバネ６９の付勢力に抗して支軸６８を支点として図１１及び図１２中矢印Ｂ方向に回動する。すると、略Ｃ字状の保持部材６６は、一端部が収納部材３６に収納されたＩＣカード１の平面２ｅに当接され、ＩＣカード１を収納部材３６に保持する保持位置になる。これによって、収納部材３６に収納されたＩＣカード１の収納位置は規制される。このように、切欠部４９の傾斜部５１は、保持部材６６を押圧し捻りコイルバネ６９の付勢力に抗して回動させるためのカム部として機能する。
【００４３】
また、記録再生位置にあるＩＣカード１を取り出すとき、収納部材３６がＩＣカード１の挿脱位置に移動されると、保持部材６６は、水平部５３に対応する位置まで移動する。これによって、保持部材６６は、カム部である傾斜部５１に押圧された状態が解除され、捻りコイルバネ６９の付勢力により図１１中反矢印Ｂ方向に回動され、保持部材６６の一端部がＩＣカード１の平面２ｅから離間し、ＩＣカード１の取り出しが可能な状態になる。
【００４４】
以上のように構成される装着部２２では、次のようにＩＣカード１の挿脱が行われる。すなわち、トグルバネ５４により装置本体２１の上面２１ａに設けられたガイド凹部３７の底板と接続された収納部材３６は、ＩＣカード１が収納されていないとき、図６に示すように、トグルバネ５４の付勢力によって、図６中反矢印Ａ方向に付勢され、ＩＣカード１の挿脱位置にある。このとき、保持機構６５を構成する保持部材６６は、図１１に示すように、切欠部４９を構成する水平部５３に対応する位置にあり、従って、捻りコイルバネ６９の付勢力により図１１中反矢印Ｂ方向に回動し、ＩＣカード１を収納部材３６に収納することができる状態にある。
【００４５】
そして、この挿脱位置にある収納部材３６には、図７に示すように、ＩＣカード１は、端子部３側の端部を挿入ガイド部４３の傾斜面に突き当て、この挿入ガイド部４３から支持板４１の方に滑らせるようにして支持板４１に挿入される。すると、ＩＣカード１は、図８に示すように、端子部３がコネクタ４２の挿入口４５より内部に挿入され、係合凹部３ｃに接続端子４６1〜４６10が係合されるとともに、電極３ｂ1〜３ｂ10が接続端子４６1〜４６10に電気的に接続された状態となる。また、コネクタ４２に挿入されとき、ＩＣカード１は、挿入ガイド溝１３にガイド片４７が係合されることで、ＩＣカード１の挿入がガイドされ、また、弾性係合片４８が脱落防止用凹部７に係合されることで、脱落が防止される。
【００４６】
このようにＩＣカード１が収納部材３６に収納された状態から図８中矢印Ａ方向に更に指等で移動操作され、ガイド凹部３７の途中位置まで移動されると、図８及び図９に示すように、ＩＣカード１が収納された収納部材３６は、図９及び図１０に示すように、トグルバネ５４の付勢方向が反転することにより、トグルバネ５４の付勢力を受けて図７及び図８中反矢印Ａ方向に更に移動されガイド凹部３７内のデータの記録再生を行う記録再生位置に移動される。すると、図１２に示すように、略Ｃ字状の保持部材６６は、背面２ｆ側が切欠部４９のコネクタ４２側の傾斜部５１に押圧される。すると、保持部材６６は、捻りコイルバネ６９の付勢力に抗して支軸６８を支点として図１１及び図１２中矢印Ｂ方向に回動する。これによって、略Ｃ字状の保持部材６６の一端部は、収納部材３６に収納されたＩＣカードの平面２ｅに当接され、保持部材６６は、収納部材３６に収納されたＩＣカード１の収納位置を規制する。
【００４７】
また、収納部材３６は、記録再生位置に移動された状態から、図９中反矢印Ａ方向に移動され、ガイド凹部３７の途中位置まで移動されると、トグルバネ５４の付勢方向が反転することにより、トグルバネ５４の付勢力を受けて図８中反矢印Ａ方向に更に移動されＩＣカード１の挿脱を可能とする着脱位置に移動される。ここで、保持機構６５を構成する保持部材６６は、図１１に示すように、水平部５３に対応する位置まで移動する。これによって、保持部材６６は、カム部である傾斜部５１に押圧された状態が解除され、捻りコイルバネ６９の付勢力により図１１中反矢印Ｂ方向に回動され、保持部材６６の一端部がＩＣカード１の平面２ｅから離間し、ＩＣカード１の取り出しが可能な状態になる。そして、この着脱位置で、ＩＣカード１は、ガイド凹部３７の切欠部４９，５０より指が挿入され、ＩＣカード１の長手方向の両側縁部が把持されることにより収納部材３６より取り出される。
【００４８】
以上のような装着部２２は、装置本体２１の上面２１ａに設けられ、ＩＣカード１がマトリクス状に設けられることから、ＩＣカード１のラベル１０が外部に臨まされる。したがって、利用者は、装着部２２に装着された複数枚のＩＣカード１に記録されている内容を容易に識別することができ、従来のように、ＩＣカード１の着脱操作を行う必要が無くなる。また、装着部２２は、利用者が収納部材３６を移動方向に押圧した後、トグルバネ５４の付勢力によって収納部材３６が自動的に収納部材３６を挿脱位置と記録再生位置とに亘って移動することで、利用者にＩＣカード１が記録再生位置に移動したことやＩＣカード１が挿脱位置に移動したことを体感させることができる。さらに、装置本体２１には、複数枚のＩＣカード１を一度に収納することができることから、小型化が図られたＩＣカードの管理を容易に行うことができる。
【００４９】
次に、この記録再生装置２０の具体的な回路構成について説明すると、図１３に示すように、この記録再生装置２０は、ディジタル入力端子２８より入力された光信号を光電変換する光入力部７１と、光入力部７１で生成された電気信号の入力インターフェース処理を行うディジタル入力部７２とを有する。光ディスク記録再生装置から光ケーブルを介してディジタル入力端子２８に入力された光信号は、光入力部７１で光電変換されて、ディジタル入力部７２で送信フォーマットに応じた受信処理がなされる。
【００５０】
また、記録再生装置２０は、マイク端子２５に入力された音声データを増幅するマイクアンプ７３と、ヘッドフォン端子２４やライン出力端子２６より出力する音声データ等からなる出力信号を増幅するパワーアンプ７４と、マイクアンプ７３やライン入力端子２７から入力されたアナログ信号をディジタル信号に変換するとともに、ディジタル信号をアナログ信号に変換し、ヘッドフォン端子２４やライン出力端子２６よりパワーアンプ７４を介してアナログ信号を出力するＡＤ／ＤＡコンバータ７５と、ＡＤ／ＤＡコンバータ７５から供給されたディジタルデータを圧縮するとともに、ＩＣカード１に記録された圧縮されたデータを伸長し、ＡＤ／ＤＡコンバータ７５に出力するＤＳＰ（Digital Signal Processor）７６と、データを暗号化するとともに暗号化されたデータを展開するＳＡＭ（Securty Application Module）７７とを有する。
【００５１】
ＤＳＰ７６は、信号の入力のとき、ディジタル入力部７２より入力されたディジタル信号やＡＤ／ＤＡコンバータ７５でディジタル信号に変換されたデータを例えばＪＰＥＧ（Joint Photographic Experts Group）形式やＭＰＥＧ（motion picture expert group）１，２形式に圧縮し、この圧縮したデータを暗号化するためＳＡＭ７７に供給する。また、ＤＳＰ７６は、信号の出力のとき、ＳＡＭ７７で展開されたデータやＩＣカード１等に圧縮されて保存されているデータを展開し、ＡＤ／ＤＡコンバータ７５に出力する。
【００５２】
ＳＡＭ７７は、データの暗号化を行うとともに、暗号化されたデータの展開を行う。すなわち、ＳＡＭ７７は、ＤＳＰ７６から供給されたデータを暗号化するとともに、ＩＣカード１等に記録された暗号化されたデータを展開し、ＤＳＰ７６に出力する。なお、暗号キーは、後述するフラッシュメモリ８４に記憶されており、ＣＰＵ８６との間でこの暗号キーのやり取りをおこなうことで、データの暗号化及び展開を行う。
【００５３】
また、記録再生装置２０は、ＵＳＢコネクタ２９に接続されたＵＳＢインターフェース７８と、日時を計数するリアルタイムクロック７９と、表示部２３にデータを表示するための表示ドライバ８１とを有する。ＵＳＢインターフェース７８は、ＵＳＢコネクタ２９に接続されたコンピュータ等の外部機器との間の通信インターフェースであり、外部機器と制御データやコンピュータで処理される処理デーや、画像データ、音声データ等の各種データのやり取りを行う。また、表示ドライバ８１は、表示部２３に、ＩＣカード１に記録されている画像データ等ＩＣカード１に記録されている情報やＩＣカード１に記録されている情報に関連する情報を表示させる。
【００５４】
更に、記録再生装置２０は、電源部として、電源コネクタ３２からの交流電源を直流電源に整流するレギュレータ８２と、レギュレータ８２からの電圧を各回路の動作電圧に変換するＤＣ／ＤＣコンバータ８３とを有する。
【００５５】
更に、記録再生装置２０は、システム情報等が記録されたフラッシュメモリ８４と、ＩＣカード１のデータを一時的に記憶するバッファメモリ８５と、全体の動作を制御するＣＰＵ（Central Processing Unit）８６と、上述した装着部２２の６つのコネクタ４２が接続されるメモリインターフェース８７とを有する。フラッシュメモリ８４には、例えばＩＣカード１に音楽データを記録するための記録モードやＩＣカード１に記録された音楽データを再生するための再生モードやＩＣカード１に記録された画像データを表示部２３に表示させるための表示モード等装置本体２１の動作に関するシステム情報が記録されている。また、フラッシュメモリ８４には、上述したＳＡＭ７７によってデータを暗号化しまた暗号化されたデータを展開する際に用いる暗号キーが記憶されている。また、バッファメモリ８５は、例えば装着部２２に装着された一方のＩＣカード１から他のＩＣカード１にデータをダビングする際に、一時的に一方のＩＣカード１から読み出されたデータを記憶する。
【００５６】
ＣＰＵ８６は、装置全体を制御するものであり、装置本体２１の動作プログラムを記憶したＲＯＭ（Read Only Memory）８６ａと、ＲＯＭ８６ａに記憶されたプログラムが一時読み出されるワーク領域となるＲＡＭ（Random Access Memory）８６ｂとを有する。このようなＣＰＵ８６は、操作部３１からの操作信号に基づいて、ＲＯＭ８６ａからプログラムをＲＡＭ８６ｂに読み出し、このプログラムを実行することで、装置全体を制御する。また、ＣＰＵ８６は、装着部２２に装着されたＩＣカード１のファイル管理を行うファイルマネージャ９１を有する。このファイルマネージャ９１は、ＩＣカード１にあるメインデータの管理のための管理ファイルを読み込んで形成される。そして、ＣＰＵ８６は、このファイルマネージャ９１に従って装着部２２に装着された一又は複数のＩＣカード１にアクセスする。
【００５７】
装着部２２の６つのコネクタ４２とのインターフェースとなるメモリインターフェース８７は、図１４に示すように、図３に示すＩＣカード１のレジスタ１２ｂやページバッファ１２ｃへのアクセスを実行する転送プロトコルインターフェース９２と、３つの信号線、すなわちシリアルクロックＳＣＬＫとバスステートＢＳとシリアルデータ入出力ＳＤＩＯにおいてデータ転送を行うためのプロトコルを規定するシリアルインターフェース９３と、コネクタ４２にＩＣカード１が確実に装着されたかを検出する挿入検出部９４と、シリアルインターフェース９３と装着部２２に装着されたＩＣカード１との接続を確立するためのセレクト部９５とを有する。
【００５８】
シリアルインターフェース９３は、シリアルクロックＳＣＬＫとバスステートＢＳとシリアルデータ入出力ＳＤＩＯによってデータ転送を行う。これらの信号線は、セレクト部９５を介して装着部２２ａ〜２２ｆのコネクタ４２の接続端子４６2，４６4，４６8に接続されている。そして、図８に示すように、ＩＣカード１が装着部２２の収納部材３６に収納され、この収納部材３６が図１０に示すように記録再生位置に移動したとき、ＩＣカード１と装置本体２１、すなわち図３に示すシリアルインターフェース１２ｄと示すシリアルインターフェース９３とが接続される。
【００５９】
ＩＣカード１が装着部２２に装着されているかを検出する挿入検出部９４は、各装着部２２ａ〜２２ｆの接続端子４６６に接続されており、ＩＣカード１の端子部３を構成する電極３ｂ６の端子電圧を検出することで装着部２２ａ〜２２ｆへのＩＣカード１の装着状況を検出する。すなわち、ＩＣカード１を収納した収納部材３６が図１０に示す記録再生位置に移動したとき、挿入検出部９４がＩＣカード１の端子部３を構成する電極３ｂ６の端子電圧を検出することが可能な状態となり、電極３ｂ６の端子電圧を検出することで何れの装着部２２にＩＣカード１が装着されているかを検出する。そして、挿入検出部９４は、この検出信号をＣＰＵ８６内のファイルマネージャ９１に供給するとともに、この検出信号に基づいてセレクト部９５を構成するイネーブルスイッチを切換制御する。
【００６０】
セレクト部９５は、図１４に示すように、装着部２２ａ〜２２ｆのコネクタ４２を選択する選択スイッチ９６ａ〜９６ｆ（以下、単に選択スイッチ９６ともいう。）と、ＩＣカード１が装着されていない装着部２２のコネクタ４２が選択されることを禁止するイネーブルスイッチ９７ａ〜９７ｆとを有する。これら選択スイッチ９６ａ〜９６ｆとイネーブルスイッチ９７ａ〜９７ｆ（以下、単にイネーブルスイッチ９７ともいう。）とは、直列に接続され、シリアルインターフェース９３と各装着部２２ａ〜２２ｆの接続端子４６2，４６4，４６8との間に設けられている。選択スイッチ９６は、装着部２２のコネクタ４２の数に対応して設けられ、一端がイネーブルスイッチ９７ａ〜９７ｆに接続され、他端がシリアルインターフェース９３に接続されている。そして、各選択スイッチ９６ａ〜９６ｆは、ＣＰＵ８６内のファイルマネージャ９１により切換制御されることにより、ＩＣカード１が装着された装着部２２の中で再生するＩＣカード１が装着された装着部２２のコネクタ４２を選択する。
【００６１】
また、イネーブルスイッチ９７ａ〜９７ｆは、一端が装着部２２ａ〜２２ｆのコネクタ４２の接続端子４６2，４６4，４６8に接続され、他端が選択スイッチ９６ａ〜９６ｆに接続されている。イネーブルスイッチ９７ａ〜９７ｆは、ＩＣカード１が装着されていない装着部２２を選択することを防止するためのものであり、挿入検出部９４により制御される。すなわち、選択スイッチ９６ａ〜９６ｆは、イネーブルスイッチ９７ａ〜９７ｆによりＩＣカード１が装着されていると判断された装着部２２ａ〜２２ｆの中で記録又は再生するＩＣカード１が装着された装着部２２ａ〜２２ｆを選択する。
【００６２】
なお、ＣＰＵ８６及びメモリインターフェース８７の各機能は、ハードウェア、ソフトウェアの何れで形成するようにしてもよい。
【００６３】
次に、メモリインターフェース８７の装着部２２ａ〜２２ｆにＩＣカード１が装着されてから所望のＩＣカード１を選択するまでの一連の動作について説明すると、先ず、装置本体２１の電源が投入されると、挿入検出部９４は、装着部２２ａ〜２２ｆに装着されたＩＣカード１の端子部３を構成する電極３ｂ6の端子電圧を検出する。ここで、挿入検出部９４は、装着部２２ａ〜２２ｆそれぞれの端子部３を構成する電極３ｂ6の端子電圧が閾値より大きいとき、装着部２２にＩＣカード１が装着されていると判断し、閾値より小さいとき装着部２２にＩＣカード１が装着されていないと判断する。すなわち、挿入検出部９４は、装着部２２ａ〜２２ｆの中で何れの装着部２２ａ〜２２ｆにＩＣカード１が装着されているかを判断する。そして、挿入検出部９４は、どの装着部２２ａ〜２２ｆにＩＣカード１が装着されており、どの装着部２２ａ〜２２ｆにＩＣカード１が装着されていないかを示す検出信号をＣＰＵ８６のファイルマネージャ９１に供給する。これと同時に、挿入検出部９４は、検出信号をセレクト部９５に供給する。
【００６４】
そして、挿入検出部９４は、この検出信号に基づいてイネーブルスイッチ９７ａ〜９７ｆのオンオフを切換制御する。具体的に、挿入検出部９４は、ＩＣカード１が装着されている装着部２２ａ〜２２ｆのイネーブルスイッチ９７ａ〜９７ｆを利用者が選択することができるようにオンとし、ＩＣカード１が装着されていない装着部２２ａ〜２２ｆのイネーブルスイッチ９７ａ〜９７ｆを利用者が選択できないようにオフにする。これと同時に、検出信号が供給されたＣＰＵ８６は、この検出信号に基づいて、表示ドライバ８１を介して表示部２３に、選択可能な番地の装着部２２を表示する。
【００６５】
そして、利用者が表示部２３の表示又は装置本体２１の上面２１ａにマトリクス状に設けられた装着部２２ａ〜２２ｆを見て所望の番地の装着部２２を選択する選択操作を操作部３１で行い、操作部３１よりＣＰＵ８６に操作信号が入力されると、ＣＰＵ８６のファイルマネージャ９１は、この操作信号に基づいて選択スイッチ９６を制御する。すなわち、ファイルマネージャ９１は、利用者が選択した番地の装着部２２の選択スイッチ９６をオンとし、その他の選択スイッチ９６をオフとする。すなわち、利用者によって選択された装着部２２は、選択スイッチ９６とイネーブルスイッチ９７がともにオンとなり、利用者によって選択されていない装着部２２は、選択スイッチ９６若しくはイネーブルスイッチ９７の何れかがオフ又は選択スイッチ９６とイネーブルスイッチ９７とが共にオフの状態となる。
【００６６】
利用者によってＩＣカード１が装着された装着部２２が選択された後、例えば利用者が選択した装着部２２に装着されたＩＣカード１に記録されている音楽データを再生するように操作部３１を操作すると、ＣＰＵ８６には、操作部３１より操作信号が入力される。すると、ＣＰＵ８６のファイルマネージャ９１は、シリアルインターフェース１２ｄとシリアルインターフェース９３とが接続されることで、シリアルクロックＳＣＬＫとバスステートＢＳとシリアルデータ入出力ＳＤＩＯを用いてＩＣカード１のフラッシュメモリ１１より音楽データを読み出し、この音楽データをＤＳＰ７６に供給する。ＤＳＰ７６は、圧縮された音楽データを伸長し、ＡＤ／ＤＡコンバータ７５に供給する。ＡＤ／ＤＡコンバータ７５は、ディジタル信号である音楽データをアナログ信号に変換し、パワーアンプ７４に出力する。そして、この音楽データは、ライン出力端子２６に接続されたスピーカ若しくはヘッドフォン端子２４に接続されたヘッドフォンより出力される。
【００６７】
また、利用者によってＩＣカード１が装着された装着部２２が選択された後、例えば利用者が選択した装着部２２に装着されたＩＣカード１に外部装置である光ディスク記録再生装置よりディジタルコンテンツ、例えば音楽データをダビングするときについて説明すると、先ず、ＣＰＵ８６には、操作部３１より光ディスク記録再生装置に装着された磁気ディスクよりＩＣカード１に音楽データをダビングするための操作信号が入力される。光ディスク記録再生装置から光信号がディジタル入力端子２８を介して光入力部７１に入力される。そして、光入力部７１は、光信号を電気信号に光電変換し、ディジタル入力部７２は、この電気信号の受信処理を行う。そして、ＤＳＰ７６は、データの圧縮処理を行い、ＣＰＵ８６は、圧縮処理が施されたデータを、利用者が選択した装着部２２に装着されたＩＣカード１にデータを記録する。
【００６８】
次に、装着部２２ａ〜２２ｆの幾つかに音楽データが記録されたＩＣカード１が装着されており、これらＩＣカード１に記録された音楽データを連続再生するときについて、図１５を参照して説明する。
【００６９】
先ず、ステップＳ１において、利用者によって連続再生モード処理を実行するように操作部３１が操作されると、ＣＰＵ８６に操作部３１より操作信号が入力され、ＣＰＵ８６は、連続再生モード処理を開始し、ステップＳ２に進み、操作信号が入力されないとき、ステップＳ１を繰り返す。
【００７０】
ステップＳ２において、ＣＰＵ８６は、装着部２２ａ〜２２ｆに装着されたＩＣカード１の枚数Ｎを算出する。すなわち、ＣＰＵ８６は、図１３に示すように、挿入検出部９４が装着部２２ａ〜２２ｆに装着されたＩＣカード１の端子部３を構成する電極３ｂ6の端子電圧を検出し、挿入検出部９４より入力された検出信号に基づいて、装着部２２に装着されたＩＣカード１の枚数Ｎを算出する。ここで、本実施例では、装着部２２が６つ設けられていることから、最大値が６であり、また、１のときは連続再生モードを実行することができないことから、最小値が２である。そして、ＣＰＵ８６は、ＩＣカード１の枚数Ｎを算出すると、ステップＳ３に進む。
【００７１】
ステップＳ３において、ＣＰＵ８６は、装着部２２ａ〜２２ｆのどの番地にＩＣカード１が装着されているかを判定する。すなわち、ＣＰＵ８６は、挿入検出部９４より入力された検出信号に基づいて、どの番地にＩＣカード１が装着されているかを判定する。このとき、挿入検出部９４は、セレクト部９５にも検出信号を出力し、ＩＣカード１が装着されていない装着部２２のイネーブルスイッチ９７をオフにし、利用者がＩＣカード１が装着されていない装着部２２の番地を選択できないようにする。そして、ＣＰＵ８６は、ＩＣカード１の装着された装着部２２の番地を判定した後、ステップＳ４に進む。
【００７２】
ステップＳ４において、ＣＰＵ８６は、表示部２３に表示ドライバ８１を介して、ＩＣカード１が装着された装着部２２の番地を表示する。また、ＣＰＵ８６は、表示部２３に、ＩＣカード１に記録された音楽データに関連した情報、例えば曲のタイトルを表示する。また、記録再生装置２０では、装着部２２ａ〜２２ｆが装置本体２１の上面２１ａに設けられていることから、ＩＣカード１に貼着されたラベル１０を見てＩＣカード１の記録内容を識別することができる。そして、ＣＰＵ８６は、利用者の操作部３１の操作に基づいて、どの順番でＩＣカード１を再生するかの再生順序を設定し、ステップＳ５に進む。なお、再生順序は、ランダムに再生したり、装着部２２ａ〜２２ｆの番地の小さい順に再生するようにしてもよい。
【００７３】
ステップＳ５において、ＣＰＵ８６は、最初に再生するように設定された装着部２２のＩＣカード１を再生するため変数ｎを１に設定し、ステップＳ６に進む。ステップＳ６において、ＣＰＵ８６のファイルマネージャ９１は、この変数ｎに基づいて、利用者が選択した装着部２２に対応した選択スイッチ９６をオンに切り換え、他の選択スイッチ９６をオフに切り換え、利用者が最初に再生することにした番地のＩＣカード１のみを再生可能な状態にし、ステップＳ７に進む。
【００７４】
ステップＳ７において、ＣＰＵ８６は、ＩＣカード１より読み出す音楽データのアドレスを設定し、ステップＳ８において、読み込みアクセスを実行する。すると、ＣＰＵ８６は、シリアルインターフェース１２ｄとシリアルインターフェース９３とが接続されることで、シリアルクロックＳＣＬＫとバスステートＢＳとシリアルデータ入出力ＳＤＩＯを用いてＩＣカード１のフラッシュメモリ１１より音楽データを読み出し、この音楽データをＤＳＰ７６に供給する。ＤＳＰ７６は、圧縮された音楽データを伸長し、ＡＤ／ＤＡコンバータ７５に供給する。ＡＤ／ＤＡコンバータ７５は、ディジタル信号である音楽データをアナログ信号に変換し、パワーアンプ７４に出力する。そして、この音楽データは、ライン出力端子２６に接続されたスピーカ若しくはヘッドフォン端子２４に接続されたヘッドフォンより出力される。
【００７５】
ステップＳ９において、利用者によって操作部３１で連続再生処理の停止操作がされたとき、ＣＰＵ８６は、ステップＳ１４に進み、連続再生処理の停止操作がなされなかったとき、ステップＳ１０に進む。
【００７６】
ステップＳ１０において、ＣＰＵ８６は、最初に再生しているＩＣカード１に記録された全音楽データの再生が終了すると、ステップＳ１１に進み、ＩＣカード１に記録された全音楽データの再生が終了していないとき、ステップＳ７に戻り、処理を繰り返す。
【００７７】
ステップＳ１１において、ＩＣカード１に記録された全音楽データの再生が終了したと判定したとき、ＣＰＵ８６は、ステップＳ１１において、再生の終了したＩＣカード１が装着されている装着部２２の選択スイッチ９６をオフにし、ステップＳ１２に進む。
【００７８】
ステップＳ１２において、ＣＰＵ８６は、変数ｎが装着部２２に装着されたＩＣカード１の枚数Ｎ以上であるか否かを判定し、変数ｎが変数Ｎ以上であるとき、ステップＳ１３に進み、変数ｎが変数Ｎより小さいとき、ステップＳ１５に進む。
【００７９】
ステップＳ１３において、ＣＰＵ８６は、装着部２２に装着された全てのＩＣカード１についての連続再生が終了したものとして、連続再生処理を終了する。また、ステップＳ９において、利用者によって操作部３１で連続再生処理の停止操作がされたとき、ＣＰＵ８６は、ステップＳ１４において、現在再生中のＩＣカード１の読み出し動作を停止、すなわち選択スイッチ９６をオフにし、ステップＳ１３において、連続再生処理を終了する。
【００８０】
また、ステップＳ１２で変数ｎが変数Ｎより小さいと判定したとき、ＣＰＵ８６は、ステップＳ１５において、次のＩＣカード１を再生するため、変数ｎをインクリメントし、ステップＳ６に戻り、次に再生するＩＣカード１が装着された装着部２２の選択スイッチ９６をオンにする。
【００８１】
以上のように、装着部２２ａ〜２２ｆに装着された複数枚のＩＣカード１に記録された音楽データを連続再生するときにも、装着部２２ａ〜２２ｆは、装置本体２１の上面２１ａに設けられていることから、表示部２３の表示を見るまでもなく、装着部２２ａ〜２２ｂに装着されたＩＣカード１に貼着されたラベル１０の記載を見て、連続再生するＩＣカード１を選ぶことができ、装着部２２の番地選択を容易に行うことができる。
【００８２】
次に、一のＩＣカードに記録されたデータを他のＩＣカードに転送し記録する転送モード処理について図１６を参照して説明する。先ず、ステップＳ２１において、利用者によって、転送モード処理を実行するように操作部３１が操作されると、ＣＰＵ８６に操作部３１より操作信号が入力され、ＣＰＵ８６は、転送モード処理を開始し、ステップＳ２２に進み、操作信号が入力されていないとき、ステップＳ２１を繰り返す。
【００８３】
ステップＳ２２において、ＣＰＵ８６は、転送元となるＩＣカード１が装着された装着部２２の番地を選択する旨の要求と転送元のＩＣカード１内の記録トラックの指定要求と転送先となるＩＣカード１が装着された装着部２２の番地を選択する旨の要求を行う。具体的に、ＣＰＵ８６は、これらの要求を、表示ドライバ８１を介して表示部２３で行う。なお、ここで、ＣＰＵ８６は、挿入検出部９４での検出結果に基づいて、ＩＣカード１が装着された装着部２２の中で転送元と転送先を指示するように表示部２３で指示を行う。
【００８４】
そして、ステップＳ２３において、上記ステップＳ２２における要求に応答する操作、すなわち転送となるＩＣカード１が装着された装着部２２の番地の指定と、転送元のＩＣカード１の記録トラックの指定と、転送先となるＩＣカード１が装着された装着部２２の番地の指定が行われると、ＣＰＵ８６は、ステップＳ２４に進み、この操作が行われないとき、ステップＳ２２に戻り、転送元と転送先の番地の指定要求を行う。
【００８５】
ステップＳ２４において、ＣＰＵ８６は、ファイルマネージャ９１に転送元のＩＣカード１の番地と転送元のＩＣカード１の記録トラックの番地と転送先のＩＣカード１の番地を設定する。そして、ＣＰＵ８６は、ステップＳ２５に進む。
【００８６】
ステップＳ２５において、ＣＰＵ８６は、転送元のＩＣカード１の転送対象となる記録トラックのアドレスを読み出しアドレスとして設定し、ステップＳ２６に進む。そして、ステップＳ２６において、ＣＰＵ８６は、転送元のＩＣカード１が装着された装着部２２の選択スイッチ９６をオンにし、所定の記録トラックのデータを読み出し可能な状態にする。そして、ＣＰＵ８６は、選択スイッチ９６をオンにすると、ステップＳ２７に進む。
【００８７】
ステップＳ２７において、ＣＰＵ８６は、転送元のＩＣカード１よりデータを読み出し、バッファメモリ８５に格納する。ここで、この読み出し処理は、バッファメモリ８５に格納可能なデータ容量を超えないデータ量単位で行われる。
【００８８】
ＣＰＵ８６は、所定のデータをバッファメモリ８５に格納すると、ステップＳ２８において、読み出し中のＩＣカード１が装着された装着部２２の選択スイッチ９６をオフにする。次いで、ステップＳ２９において、ＣＰＵ８６は、バッファメモリ８５に格納されたデータを転送先のＩＣカード１に出力するため、転送先のＩＣカード１が装着された装着部２２の選択スイッチ９６をオンにし、ステップＳ３０において、転送先のＩＣカード１の空き領域にバッファメモリ８５に格納されているデータを転送する。
【００８９】
次いで、バッファメモリ８５から転送先のＩＣカード１へのデータの転送が終了すると、ＣＰＵ８６は、ステップＳ３１において、転送先のＩＣカード１が装着された装着部２２の選択スイッチ９６をオフにし、ステップＳ３２に進む。ＣＰＵ８６は、ステップＳ３２において、ステップＳ３０における転送先のＩＣカード１への書き込みで全転送データの転送が終了したか否かを判定し、完了しているとき、ステップＳ３３に進み、転送処理を終了し、完了していないとき、ステップＳ３４に進む。
【００９０】
全データの伝送が終了していないとき、ステップＳ３４において、ＣＰＵ８６は、次の読み出しアドレス、すなわち転送元のＩＣカード１のアドレスを設定し、ステップＳ２６に戻り、再度、転送元のＩＣカード１が装着された装着部２２の選択スイッチ９６をオンにし、続きのデータのバッファメモリ８５への読み出しを行う。
【００９１】
以上のように、装着部２２ａ〜２２ｆに装着されたＩＣカード１間でデータ転送を行うときにも、装着部２２ａ〜２２ｆは、装置本体２１の上面２１ａに設けられていることから、表示部２３の表示を見るまでもなく、装着部２２ａ〜２２ｂに装着されたＩＣカード１に貼着されたラベル１０の記載を見て、転送元のＩＣカード１や転送先のＩＣカード１を選ぶことができ、装着部２２の番地選択を容易に行うことができる。
【００９２】
なお、以上、装着部２２が装置本体２１の上面２１ａにマトリクス状に６つ設けられた例について説明したが、装着部２２の数は、これに限定されるものではなく、また、上面２１ａ以外の面、例えば操作面となる前面２１ｂや側面に設けるようにしてもよい。また、装着部２２は、装置本体２１の各面の縦又は横方向に一列設けるようにしてもよい。また、ＩＣカード１の挿脱方向は、これに限定されるものではなく、例えば挿脱操作を容易に行うことができるように、装置本体２１の前面２１ｂ側よりＩＣカード１の挿脱を行うことができるようにしてもよい。
【００９３】
また、以上のような記録再生装置２０に設けられた装着部２２は、参考例とはなるが次のように構成することもできる。すなわち、この装着部１０１は、図１７及び図１８に示すように、ＩＣカード１が階段状に収納されることを特徴とする。
【００９４】
具体的に、この装着部１０１は、複数枚のＩＣカード１が階段状に収納される収納凹部１０２を有する。この収納凹部１０２は、ＩＣカード１の挿脱方向を長手方向とした略矩形状に形成され、全部で９枚のＩＣカード１が収納できるようになっている。この収納凹部１０２は、長手方向の一方の側が、中央に向かって下る階段状に形成されている。そして、３段の階段状に形成された収納凹部１０２の一方の側には、ＩＣカード１との送受信手段となるコネクタ１０３を取り付けるための取付部１０４が構成されている。この取付部１０４は、コネクタ１０３を取り付けるための水平面部１０４ａと、コネクタ１０３の取付位置を規制するための垂直面部１０４ｂとから構成されている。また、収納凹部１０２は、図１に示すＩＣカード１の短辺の長さＷ1と略同じ間隔で、ＩＣカード１の挿脱をガイドする挿入ガイド壁１０５が形成され、挿入ガイド壁１０５によってＩＣカード１を収納する収納部１０６が区画されている。また、水平面部１０４ａは、図１７及び図１８に示すように、基端側がＩＣカード１を支持する支持部として機能するとともに、先端側に次の段のコネクタ１０３が取り付けられる。この水平面部１０４ａは、コネクタ１０３にＩＣカード１が装着されたとき、下側の段のコネクタ１０３に挿入されたＩＣカード１のラベル１０を覆わないような長さに形成されている。
【００９５】
ところで、上述した取付部１０４に取り付けられるコネクタ１０３は、上述したコネクタ１０３とほぼ同様な構成を有し、全体が略矩形状に形成され、前面に、コネクタ１０３の内部にＩＣカード１の端子部３を挿入するための挿入口１０７が設けられている。また、コネクタ１０３の内部の底面には、端子部３を構成する電極３ｂに電気的に接続される接続端子１０８が設けられている。これら接続端子１０８は、略Ｌ字状に折曲して形成され、この折曲部が上方に突出し、ＩＣカード１の電極３ｂに押圧されて弾性変位することで、端子部３の電極３ｂと電気的に接続されるようになっている。コネクタ１０３の一方の側面には、ＩＣカード１の挿入ガイド溝１３に係合されるガイド片１０９が設けられている。このガイド片１０９は、挿入ガイド壁１０５の一方の面及び収納凹部１０２を構成する側面に設けられたガイド片１１０と連続するように設けられている。ガイド片１０９，１１０は、挿入口１０７よりＩＣカード１の端子部３が挿入されるとき、挿入ガイド溝１３に係合されることで、挿入のガイドを行う。また、コネクタ１０３の他方の側面には、ＩＣカード１の脱落防止用凹部７に係合される弾性係合片１１１が設けられている。弾性係合片１１１は、ＩＣカード１がコネクタ１０３に収納されたとき、脱落防止用凹部７に係合されることで収納位置からＩＣカード１の収納位置がずれることを防止する。このようなコネクタ１０３は、各収納部１０６の取付部１０４に、挿入口１０７を収納凹部１０２の他方の側を向くようにしてかしめ等により取り付けられる。また、取付部１０４に取り付けられ、上から２段目及び３段目のコネクタ１０３の天板１０３ａは、水平面部１０４ａとで、上段のコネクタ１０３にＩＣカード１が挿入された際、このＩＣカード１を支持する支持部１１２として機能する。
【００９６】
また、収納凹部１０２の底面１０２ａは、最下段、すなわち上から３番目のコネクタ１０３にＩＣカード１が挿入されたとき、収納凹部１０２の他方の側にクリアランス１１３ができる程度の大きさに形成されている。収納凹部１０２のは、コネクタ１０３にＩＣカード１が挿入されたときにクリアランス１１３ができる大きさに形成することで、上から３段目のコネクタ１０３に対してＩＣカード１の挿脱を行うことができるようにしている。また、収納凹部の１０２の他方の側には、底面１０２ａに連続してＩＣカード１を収納凹部１０２から取り出す際のガイド部となる傾斜面部１１４が設けられている。
【００９７】
以上のような装着部１０１には、図１８に示すように、端子部３側の端部を支持部１１２に突き当て、次いで、ＩＣカード１を寝かせ、この後、装置本体２１の前面２１ｂ側より図１７及び図１８中矢印Ｃ方向に移動させてコネクタ１０３に挿入される。また、ＩＣカード１をコネクタ１０３から取り出すときには、ＩＣカード１を図１７及び図１８中反矢印Ｃ方向に移動させることによって装置本体２１の前面２１ｂ側に取り出される。このとき、ＩＣカード１は、背面２ｆ側が、傾斜面部１１４によって浮き上がることから取り出し操作が容易になる。
【００９８】
以上のような装着部１０１では、複数枚のＩＣカード１の一部を重ね合わせるようにして収納凹部１０２に収納されることから、装着部１０１の全体を上述した装着部２２より小さくすることができる。また、この装着部１０１では、ＩＣカード１が各段のコネクタ１０３に挿入されているときでも、収納凹部１０２に水平面部１０４ａとコネクタ１０３の天板１０３ａとで構成される支持部１１２が設けられていることから、下の段のＩＣカード１のラベル１０が上の段のＩＣカード１に覆われて隠れることを防止することができる。したがって、利用者は、装着部２２に装着された複数枚のＩＣカード１に記録されている内容を容易に識別することができ、従来のように、ＩＣカード１の着脱操作を行う必要が無くなる。また、装置本体２１の前面２１ｂ側よりＩＣカード１の挿脱を行うことができることから、ＩＣカード１の挿脱操作を容易に行うことができる。
【００９９】
なお、以上、装着部１０１について説明したが、この装着部１０１は、装着されるＩＣカード１の枚数はこれに限定されるものではない。すなわち、装着部１０１に装着するＩＣカード１の枚数を減らすときには、収納凹部１０２の段数を減らしたり、並べて配列する数を減らせばよく、また、ＩＣカード１の枚数を増やすときには、収納凹部１０２の段数を増やしたり、並べて配列する数を増やせばよい。
【０１００】
なお、以上、ＩＣカード１の記録再生装置２０について、図面を参照して説明したが、本発明は、これに限定されるものではなく、例えば、ＩＣカード１の端子部とコネクタとの間のデータの送受信は、無線で行うようにしてもよい。また、本発明は、ＩＣカード１の記録装置又は再生装置であってもよい。また、装置本体２１には、装着部２２，１０１内に塵埃等の異物が侵入することを防止するため、装着部２２，１０１全体を閉塞する開閉蓋を設けるようにしてもよい。
【０１０１】
【発明の効果】
本発明に係るＩＣカードの記録及び／又は再生装置によれば、複数のＩＣカードのラベルが外部に臨まされて装置本体に装着されることから、装着されたＩＣカードのラベルを容易に視認することができ、ＩＣカードに記録された内容を容易に識別することができる。また装置本体に、ＩＣカードが階段状に重ねられて装着された場合には、装着部を小さくすることができる。また、小型化が図られたＩＣカードを一度に複数枚収納することができることから、ＩＣカードの管理が容易になる。
【図面の簡単な説明】
【図１】本発明が適用された記録再生装置に用いられるＩＣカードを示す斜視図である。
【図２】上記ＩＣカードを底面側から見た斜視図である。
【図３】上記ＩＣカードのブロック図である。
【図４】本発明が適用された記録再生装置の斜視図である。
【図５】ＩＣカードが装着される装着部の分解斜視図である。
【図６】ＩＣカードが収納される収納部材がＩＣカードの着脱位置にある状態を示す平面図である。
【図７】ＩＣカードが収納部材に挿入される状態を示す断面図である。
【図８】ＩＣカードの挿脱位置にある収納部材にＩＣカードが挿入された状態を示す平面図である。
【図９】ＩＣカードが収納部材に収納され、この収納部材が記録再生位置に移動された状態を示す平面図である。
【図１０】ＩＣカードが収納部材に収納され、この収納部材が記録再生位置に移動された状態を示す断面図である。
【図１１】ＩＣカードを収納部材に保持する保持機構を説明する図であり、収納部材がＩＣカードの挿脱位置にあるときの保持機構を示す要部斜視図である。
【図１２】ＩＣカードを収納した収納部材が記録再生位置に移動されたときの保持機構の状態を示す斜視図である。
【図１３】記録再生装置のブロック図である。
【図１４】ＩＣカードと記録再生装置とのインターフェースを説明する図である。
【図１５】複数のＩＣカードを連続して再生する連続再生モード処理を説明するフローチャートである。
【図１６】一のＩＣカードに記録されたデータを他のＩＣカードに転送し記録する転送モード処理を説明するフローチャートである。
【図１７】  装着部の参考例を説明する要部斜視図である。
【図１８】上記装着部の断面図である。
【符号の説明】
１  ＩＣカード、３  端子部、３ｂ  電極、１０  ラベル、２０  記録再生装置、２１  装置本体、２２  装着部、３６  収納部材、３７  ガイド凹部、４１  支持板、４２  コネクタ、４４  取付板、４５  挿入口、４６  接続端子、６５保持機構、６６  保持部材、６７  支持片、６８  支軸、６９  捻りコイルバネ
【図１】
0004529239.tif 000002
【図２】
0004529239.tif 000003
【図３】
0004529239.tif 000004
【図４】
0004529239.tif 000005
【図５】
0004529239.tif 000006
【図６】
0004529239.tif 000007
【図７】
0004529239.tif 000008
【図８】
0004529239.tif 000009
【図９】
0004529239.tif 000010
【図１０】
0004529239.tif 000011
【図１１】
0004529239.tif 000012
【図１２】
0004529239.tif 000013
【図１３】
0004529239.tif 000014
【図１４】
0004529239.tif 000015
【図１５】
0004529239.tif 000016
【図１６】
0004529239.tif 000017
【図１７】
0004529239.tif 000018
【図１８】
0004529239.tif 000019